(57)【要約】      （修正有）【課題】眼鏡を常用する人が顔面着用品を外しても、これを眼鏡に係止して紛失しないようにすることができる顔面着用品の眼鏡装着用係止具を提供する。【解決手段】機能部本体１１０とこれに取り付けた付属紐状体１２０を有し、顔面に着用する顔面着用品１００の付属紐状体を眼鏡のテンプルに係止可能な眼鏡装着用の係止具であって、係止具は、眼鏡のテンプルに装着する装着部１０と、装着部に取り付けられ、顔面着用品の付属紐状体を係止可能な係止部２０と、を含み、顔面着用品の付属紐状体を、装着部が眼鏡のテンプルに装着された係止部に係止して、顔面着用品の紛失を防止する。【選択図】図１
0003229502.tif 000002
【実用新案登録請求の範囲】
【請求項１】
機能部本体とこれに取り付けた付属紐状体を有し、顔面に着用する顔面着用品の付属紐状体を眼鏡のテンプルに係止可能な眼鏡装着用の係止具であって、
前記係止具は、
前記眼鏡のテンプルに装着する装着部と、
該装着部に取り付けられ、前記顔面着用品の付属紐状体を係止可能な係止部と、
を含み、
前記顔面着用品の付属紐状体を、前記装着部が前記眼鏡のテンプルに装着された前記係止具の係止部に係止して、該顔面着用品の紛失を防止することができる、顔面着用品の眼鏡装着用係止具。
【請求項２】
前記装着部は、
螺子孔が穿設された上底部と下底部とが胴部により連結されたコの字型固定具と、
該コの字型固定具の胴部に取り付けられ、該上底部及び下底部と平行に上下動可能な可動板とを含み、
前記係止部は、先端と後端を有する螺子部の後端に後端面が成型され、
該螺子部が前記コの字型固定具の上底部に穿設された螺子孔を貫通して、その先端を前記可動板に当接させ、該可動板を該コの字型固定具の上底部側から下底部側へ押圧可能な螺子である、請求項１に記載の顔面着用品の眼鏡装着用係止具であって、
前記コの字型固定具の下底部が前記眼鏡のテンプルの下端又は上端に当接されると共に、該可動板が該眼鏡のテンプルの上端又は下端に当接され、
該下底部側に押し込まれた前記螺子の先端により、これに当接した該可動板が該下底部側に押圧され、該コの字型固定具の下底部と該可動板とで該眼鏡のテンプルを挟持して、該コの字型固定具と該可動板とが該眼鏡のテンプルに固定され、
前記コの字型固定具の上底部から突出した前記螺子の突出部分に前記顔面着用品の付属紐状体を係止可能である、顔面着用品の眼鏡装着用係止具。
【請求項３】
螺子嵌合穴が穿設された上環及び下環が、中空巻溝管により連結された紐状体巻環を、前記コの字型固定具に取り付けた前記螺子の後端面に該上環及び下環の螺子嵌合穴を嵌合させて、前記螺子の突出部分に被覆させる請求項２に記載の顔面着用品の眼鏡装着用係止具であって、
前記螺子の後端面に前記螺子嵌合穴が嵌合した前記上環又は前記下環を回動することにより、該螺子を回動させることが可能であり、
前記中空巻溝管に前記顔面着用品の付属紐状体を巻き付けて係止可能である、顔面着用品の眼鏡装着用係止具。
【請求項４】
前記螺子の後端面と前記螺子嵌合穴は大きさが同一の多角形である、
請求項３に記載の顔面着用品の眼鏡装着用係止具。
【請求項５】
前記装着部が、
前記眼鏡のテンプルを内包して熱収縮され、該テンプルに固定される、熱収縮性弾性体により構成された熱収縮性管状体であり、
前記係止部が、
固定片と突出片とこれらを接続する凹部片とからなる断面視コの字型のクリップであり、
該固定片が該熱収縮性弾性管状体を構成する熱収縮性弾性体に予め挿入されて固定された請求項１に記載の顔面着用品の眼鏡装着用係止具であって、
前記クリップの突出片又は凹部片に前記顔面着用品の付属紐状体を係止可能である、顔面着用品の眼鏡装着用係止具。
【請求項６】
前記装着部が、
前記眼鏡のテンプルを内包して熱収縮され、該テンプルに固定される、熱収縮性弾性体により構成された熱収縮性管状体であり、
前記係止部が、
固定片と接続片と突出片とが２つの凹部片により接続された断面視Ｓの字型のＳ字状クリップであり、
該固定片が該熱収縮性弾性管状体を構成する熱収縮性弾性体に予め挿入されて固定された請求項１に記載の顔面着用品の眼鏡装着用係止具であって、
前記Ｓ字状クリップの接続片又は突出片又は２つの凹部片に前記顔面着用品の付属紐状体を係止可能である、顔面着用品の眼鏡装着用係止具。
【請求項７】
顔面着用品は、
口元を覆うマスク本体を機能部本体とし、
該マスク本体に取り付けられ、両耳に着用する輪状紐を付属紐状体とするマスクである、
請求項１に記載の顔面着用品の眼鏡装着用係止具。
【請求項８】
顔面着用品は、
両目を覆う眼部当接体を機能部本体とし、
眼部当接体に取り付けられ、両耳に着用する輪状紐を付属紐状体とするアイマスクである、請求項１に記載の顔面着用品の眼鏡装着用係止具。
【請求項９】
顔面着用品は、
耳に着用するイヤホン本体又はヘッドホン本体を機能部本体とし、
該イヤホン本体又はヘッドホン本体に取り付けられ、外部機器に接続するコードを付属紐状体とするイヤホン又はヘッドホンである、
請求項１に記載の顔面着用品の眼鏡装着用係止具。
【請求項１０】
一端と他端を有し、可撓性形状保持線を含んで形成され、
付属紐状体を有しない顔面着用品の機能部本体に、または、付属紐状体に代えて顔面着用品の機能部本体に、該一端又は該他端を装着可能な紐状体であって、
前記紐状体は、
請求項１に記載の眼鏡装着用係止具の装着部又は係止部に前記他端又は前記一端を装着可能であり、
少なくとも常温において変形自在で、自由な形状を保持することができる形状保持可能な可撓性接続紐状体。
【請求項１１】
前記形状保持可能な可撓性接続紐状体は、
前記可撓性形状保持線と非接触に、該可撓性形状保持線の長手方向に平行に配した導電線と、
前記可撓性形状保持線と前記導電線とを被覆する絶縁材と、
を含む、請求項１０に記載の形状保持可能な可撓性接続紐状体。
【請求項１２】
顔面着用品は、そのイヤホンを耳に着用するイヤホン付きブルートゥース（登録商標）函体に、請求項１０に記載の形状保持可能な可撓性接続紐状体の一端又は他端を装着したブルートゥース（登録商標）であり、
前記形状保持可能な可撓性接続紐状体の前記他端又は前記一端を、前記装着部又は係止部に装着可能な、請求項１乃至請求項６の何れか１項に記載の顔面着用品の眼鏡装着用係止具。
【請求項１３】
顔面着用品は、口元に着用したマスクの鼻元当接部を、該マスクの上から顔面方向に押圧するパッド部材に、請求項１０に記載の形状保持可能な可撓性接続紐状体の一端又は他端を装着した眼鏡装着用曇止めパッドであり、
前記形状保持可能な可撓性接続紐状体の前記他端又は前記一端を、前記装着部又は係止部に装着可能な、請求項１乃至請求項６の何れか１項に記載の顔面着用品の眼鏡装着用係止具。
【考案の詳細な説明】
【技術分野】
【０００１】
本考案は、顔面着用品の眼鏡装着用係止具に関する。
【背景技術】
【０００２】
新型コロナウイルス（ＣＯＶＩＤ１９）が大流行する中、人との対面時などに泡沫飛散を防ぐマスクは必帯具となったが、鞄に入れ忘れたり、一度外すと放置してしまったりと、紛失しがちである。この状況は、仮眠時などに目を覆って装着するアイマスク、携帯用音楽機器のイヤホンやヘッドホン、スマートフォンからの信号を耳元で受ける携帯用ブルートゥース（登録商標）など、他の顔面着用品にも同様に当てはまる。
【０００３】
これらのマスクやアイマスク、イヤホン等の顔面着用品は、一般に、マスク本体（口部当接体）やイヤホン本体などの機能部本体に、顔面装着や外部機器接続用の柔軟な紐やコード（以下、まとめて「付属紐状体」ともいう。）が取り付けられているという共通点がある。
【０００４】
この紐やコードなどの付属紐状体が付いている顔面着用品を、眼鏡を常用する人が耳元に着用すると、紐やコード（付属紐状体）が眼鏡のテンプルに絡まって非常に厄介であるし、マスクやイヤホン等をポケットなどに収納した場合でも、紐やコード同士が絡まって容易に解けない。そのため、特許文献１や特許文献２には、容易に絡まらないイヤホン用アクセサリ等が提案されている。
【０００５】
しかし、これらのイヤホン用アクセサリは、一度外したマスクやイヤホン等顔面着用品の紛失を防止する機能はもち合わせない。また、特許文献３や特許文献４は、眼鏡自体の紛失防止について提案しているが、眼鏡を利用して顔面着用品の紛失を防止するという技術的思想については言及していない。
【０００６】
２０１８年に特許を付与された特許文献５に係る発明は、眼鏡と連結することで耳からの耳掛型補聴器の外れを抑制することが可能な耳掛型補聴器の補助具を提供している。すなわち、特許文献５は、「耳掛型補聴器用の補助具であって、前記補助具は、略Ｌ字形状である板状部材の一端部に前記耳掛型補聴器の所定部に装着し固定する耳掛型補聴器装着部と、他端部に眼鏡のテンプルに前記テンプルの長手方向に移動可能に装着するテンプル装着部とを有し、前記一端部及び前記他端部は、折れ曲がり形状によりなる凹部を有する補助具」を開示している。この補助具は、耳掛型補聴器を固定し、眼鏡のテンプルには容易に着脱できるとともに、前記テンプルの長手方向には移動可能とすることで、眼鏡の揺動が、補助具および耳掛型補聴器に伝わらない効果がある。
【０００７】
【特許文献１】実用新案登録第３１９０９９２号公報
【特許文献２】特開平９−３３０６１９号公報
【特許文献３】実開平４−４４６２０号公報
【特許文献４】特開２０１９−１３９１９６号公報
【特許文献５】特許第６３３２８８０号公報
【考案の概要】
【考案が解決しようとする課題】
【０００８】
特許文献５に係る補助具は、特に眼鏡をかけている人は耳掛型補聴器が外れて落下させやすいため、これを防止することができ、耳掛型補聴器を最適な位置に固定できるよう、テンプルの長手方向に移動可能に装着することができる。しかし、特許文献５は、耳掛型補聴器を不使用時に、これを紛失しないようにする課題には言及されていない。
【０００９】
そこで、本考案は、眼鏡を常用する人が顔面着用品を外しても、これを眼鏡に係止して紛失しないようにする顔面着用品の眼鏡装着用係止具を提案する。
【課題を解決するための手段】
【００１０】
本考案に係る顔面着用品の眼鏡装着用係止具は、機能部本体とこれに取り付けた付属紐状体を有し、顔面に着用する顔面着用品の付属紐状体を眼鏡のテンプルに係止可能な眼鏡装着用の係止具であって、
前記係止具は、前記眼鏡のテンプルに装着する装着部と、該装着部に取り付けられ、前記顔面着用品の付属紐状体を係止可能な係止部と、を含み、前記顔面着用品の付属紐状体を、前記装着部が前記眼鏡のテンプルに装着された前記係止具の係止部に係止して、該顔面着用品の紛失を防止することができる。
【００１１】
本考案に係る顔面着用品の眼鏡装着用係止具において、前記装着部は、螺子孔が穿設された上底部と下底部とが胴部により連結されたコの字型固定具と、該コの字型固定具の胴部に取り付けられ、該上底部及び下底部と平行に上下動可能な可動板とを含み、前記係止部は、先端と後端を有する螺子部の後端に後端面が成型され、該螺子部が前記コの字型固定具の上底部に穿設された螺子孔を貫通して、その先端を前記可動板に当接させ、該可動板を該コの字型固定具の上底部側から下底部側へ押圧可能な螺子である、上記顔面着用品の眼鏡装着用係止具であって、
前記コの字型固定具の下底部が前記眼鏡のテンプルの下端又は上端に当接されると共に、該可動板が該眼鏡のテンプルの上端又は下端に当接され、該下底部側に押し込まれた前記螺子の先端により、これに当接した該可動板が該下底部側に押圧され、該コの字型固定具の下底部と該可動板とで該眼鏡のテンプルを挟持して、該コの字型固定具と該可動板とが該眼鏡のテンプルに固定され、前記コの字型固定具の上底部から突出した前記螺子の突出部分に前記顔面着用品の付属紐状体を係止可能である。
【００１２】
本考案に係る顔面着用品の眼鏡装着用係止具は、螺子嵌合穴が穿設された上環及び下環が、中空巻溝管により連結された紐状体巻環を、前記コの字型固定具に取り付けた前記螺子の後端面に該上環及び下環の螺子嵌合穴を嵌合させて、前記螺子の突出部分に被覆させる上記顔面着用品の眼鏡装着用係止具であって、
前記螺子の後端面に前記螺子嵌合穴が嵌合した前記上環又は下環を回動することにより、該螺子を回動させることが可能であり、前記中空巻溝管に前記顔面着用品の付属紐状体を巻き付けて係止可能である。
【００１３】
本考案に係る顔面着用品の眼鏡装着用係止具において、前記螺子の後端面と前記螺子嵌合穴は大きさが同一の多角形であり得る。
【００１４】
本考案に係る顔面着用品の眼鏡装着用係止具は、前記装着部が、前記眼鏡のテンプルを内包して熱収縮され、該テンプルに固定される、熱収縮性弾性体により構成された熱収縮性管状体であり、前記係止部が、固定片と突出片とこれらを接続する凹部片とからなる断面視コの字型のクリップであり、該固定片が該熱収縮性弾性管状体を構成する熱収縮性弾性体に予め挿入されて固定された上記顔面着用品の眼鏡装着用係止具であって、
前記クリップの突出片又は凹部片に前記顔面着用品の付属紐状体を係止可能である。
【００１５】
本考案に係る顔面着用品の眼鏡装着用係止具は、前記装着部が、前記眼鏡のテンプルを内包して熱収縮され、該テンプルに固定される、熱収縮性弾性体により構成された熱収縮性管状体であり、前記係止部が、固定片と接続片と突出片とが２つの凹部片により接続された断面視Ｓの字型のＳ字状クリップであり、該固定片が該熱収縮性弾性管状体を構成する熱収縮性弾性体に予め挿入されて固定された上記顔面着用品の眼鏡装着用係止具であって、前記Ｓ字状クリップの接続片又は突出片又は２つの凹部片に前記顔面着用品の付属紐状体を係止可能である。
【００１６】
本考案に係る顔面着用品の眼鏡装着用係止具において、顔面着用品は、口元を覆うマスク本体を機能部本体とし、該マスク本体に取り付けられ、両耳に着用する輪状紐を付属紐状体とするマスクであってよい。
【００１７】
本考案に係る顔面着用品の眼鏡装着用係止具において、顔面着用品は、両目を覆う眼部当接体を機能部本体とし、眼部当接体に取り付けられ、両耳に着用する輪状紐を付属紐状体とするアイマスクであってよい。
【００１８】
本考案に係る顔面着用品の眼鏡装着用係止具において、顔面着用品は、耳に着用するイヤホン本体又はヘッドホン本体を機能部本体とし、該イヤホン本体又はヘッドホン本体に取り付けられ、外部機器に接続するコードを付属紐状体とするイヤホン又はヘッドホンであってよい。
【００１９】
本考案に係る形状保持可能な可撓性接続紐状体は、一端と他端を有し、可撓性形状保持線を含んで形成され、付属紐状体を有しない顔面着用品の機能部本体に、または、付属紐状体に代えて顔面着用品の機能部本体に、該一端又は該他端を装着可能な紐状体であって、
前記紐状体は、上記眼鏡装着用係止具の装着部又は係止部に前記他端又は前記一端を装着可能であり、少なくとも常温において変形自在で、自由な形状を保持することができる。
【００２０】
本考案に係る形状保持可能な可撓性接続紐状体は、前記可撓性形状保持線と非接触に、該可撓性形状保持線の長手方向に平行に配した導電線と、前記可撓性形状保持線と前記導電線とを被覆する絶縁材とを含み得る。
【００２１】
本考案に係る顔面着用品の眼鏡装着用係止具において、顔面着用品は、そのイヤホンを耳に着用するイヤホン付きブルートゥース（登録商標）函体に、上記形状保持可能な可撓性接続紐状体の一端又は他端を装着したブルートゥース（登録商標）であり、前記形状保持可能な可撓性接続紐状体の前記他端又は前記一端を、前記装着部又は係止部に装着可能である。
【００２２】
本考案に係る顔面着用品の眼鏡装着用係止具において、顔面着用品は、口元に着用したマスクの鼻元当接部を、該マスクの上から顔面方向に押圧するパッド部材に、上記形状保持可能な可撓性接続紐状体の一端又は他端を装着した眼鏡装着用曇止めパッドであり、前記形状保持可能な可撓性接続紐状体の前記他端又は前記一端を、前記装着部又は係止部に装着可能である。
【考案の効果】
【００２３】
本考案に係る顔面着用品の眼鏡装着用係止具は、その装着部を眼鏡のテンプルに固定し、当該係止具の係止部に、マスクなど顔面着用品に付属する紐などの付属紐状体を係止することができる。そのため、外したマスクを、ポケットやバッグに収納したり、机などの上に置く必要がなく、眼鏡のテンプルに掛けたまま行動できるので、その紛失を防止することができる。
【００２４】
マスクと同様、紐やコードなどの付属紐状体を有して顔面各部に着用するアイマスクや携帯用音楽機器のイヤホン、ヘッドホンなどの顔面着用品も、眼鏡に付属紐状体を係止させたまま、眼鏡と一体にして行動し、運搬できるので、それら顔面着用品の紛失を防止することができる。
【００２５】
また、スマートフォンからの信号を耳元で受ける携帯用ブルートゥース（登録商標）など、電磁波（電波）を利用するために紐やコードなどの付属紐状体が不要な顔面着用品であっても、本考案に係る可撓性接続紐状体を付属紐状体としてブルートゥース（登録商標）などの本体に取り付け、この付属紐状体（可撓性接続紐状体）を本考案の眼鏡装着用係止具の係止部に掛けることにより、その紛失を防止することができる。
【００２６】
このような本考案に係る形状保持可能な可撓性接続紐状体は、一端と他端を有し、可撓性形状保持線を含んで形成され、付属紐状体を有しない顔面着用品の機能部本体に、または、付属紐状体に代えて顔面着用品の機能部本体に、その一端又は他端を装着することができる。この可撓性形状保持線は、少なくとも常温において変形自在で、自由な形状を保持することができるため、これを含む可撓性接続紐状体も変形自在に自由な形状を保持することができる。そして、この可撓性接続紐状体は、眼鏡装着用係止具の装着部又は係止部にその他端又は一端を装着することができるので、付属紐状体を有しない顔面着用品であっても、眼鏡のテンプルに装着して持ち歩くことができ、顔面着用品の紛失を防ぐことができる。
【００２７】
本考案に係る導電線を含む形状保持可能な可撓性接続紐状体は、可撓性形状保持線と非接触に、可撓性形状保持線の長手方向に平行に配した導電線と、可撓性形状保持線と導電線とを被覆する絶縁材と、あるいは、他の３線と非接触に、これらの長手方向に平行に配した形状記憶合金線を更に含んで構成され、このような導電線を含む形状保持可能な可撓性接続紐状体もまた、眼鏡装着用係止具の装着部又は係止部に、その他端又は一端を装着することができる。
【００２８】
この導電線を含む形状保持可能な可撓性接続紐状体もまた、曲げ伸ばし自在であるため、運搬時にはイヤホンコード同士が絡み合わないようにコンパクトに折り畳んでポケット等に収納可能であり、使用の際にはこれを引き伸ばして使用することができる。このような可撓性接続紐状体によりイヤホンコードを形成すれば、可撓性接続紐状体は可撓性形状保持線を内包するので、好みの形状に付属紐状体をデザインすることもできる。
【図面の簡単な説明】
【００２９】
【図１】本考案に係る顔面着用品の眼鏡装着用係止具の使用態様斜視図。
【図２】実施例に係る顔面着用品の眼鏡装着用係止具の（ａ）正面図、（ｂ）側面図、（ｃ）平面図、（ｄ）背面図。
【図３】実施例に係る顔面着用品の眼鏡装着用係止具を眼鏡のテンプルに固定した状態における（ａ）正面図、（ｂ）側面図。
【図４】他の実施例に係る顔面着用品の眼鏡装着用係止具の（ａ）斜視図、（ｂ）断面図。
【図５】更に他の実施例に係る顔面着用品の眼鏡装着用係止具の（ａ）斜視図、（ｂ）断面図。
【図６】ブルートゥース（登録商標）を装着した実施例に係る顔面着用品の眼鏡装着用係止具の写真図。
【図７】実施例に係る顔面着用品の眼鏡装着用係止具の（ａ）可動板の平面図、（ｂ）可動板の他の形態の平面図。
【図８】実施例に係る顔面着用品の紐状体巻環付き眼鏡装着用係止具の（ａ）分解平面図、（ｂ）分解背面図。
【図９】実施例に係る顔面着用品の紐状体巻環付き眼鏡装着用係止具の使用態様を表す（ａ）正面図、（ｂ）側面図。
【図１０】眼鏡のテンプルに固定した実施例に係る顔面着用品の眼鏡装着用係止具にマスクを係止した使用状態を表す斜視図。
【図１１】イヤホンとアイマスクの使用態様を表す模式図。
【図１２】（ａ）本考案に係る可撓性形状保持線を含む形状保持可能な可撓性接続紐状体の断面図、（ｂ）本考案に係る導電線を含む形状保持可能な可撓性接続紐状体の断面図、（ｃ）形状記憶合金線を更に含む本考案に係る導電線を含む形状保持可能な可撓性接続紐状体の断面図。
【図１３】実施例に係る顔面着用品の眼鏡装着用係止具により眼鏡のテンプルに係止したマスクを、実施例に係る眼鏡装着用曇止めパッドにより抑える使用状態を表す斜視図。
【図１４】本考案に係る導電線を含む形状保持可能な可撓性接続紐状体をイヤホンコードとして用いたイヤホンの正面模式図。
【考案を実施するための形態】
【００３０】
以下、図面を参照しながら本考案に係る顔面着用品の眼鏡装着用係止具の実施形態について説明する。なお、以下各図面を通して同一の構成要素には同一の符号を使用するものとする。
（１）顔面着用品の眼鏡装着用係止具
【００３１】
本考案に係る顔面着用品１００の眼鏡装着用係止具１は、図１のように、機能部本体１１０とこれに取り付けた付属紐状体１２０を有し、顔面に着用する顔面着用品１００を眼鏡５０のテンプル５２に係止可能な眼鏡装着用の係止具である。図１において、顔面に着用する顔面着用品１００はマスク１０１であり、その機能部本体１１０は口元を覆う縫製生地であるマスク本体１１１、付属紐状体１２０は両耳に着用する輪状紐１２１である。
【００３２】
本考案の眼鏡装着用係止具１は、眼鏡５０のテンプル５２に装着させる装着部１０と、顔面着用品１００の付属紐状体１２０を係止する係止部２０とを含む。そして、本考案の眼鏡装着用係止具１は、非着用時に顔面着用品１００の付属紐状体１２０を、装着部１０が眼鏡５０のテンプル５２に装着された係止具１の係止部２０に係止して、顔面着用品１００の紛失を防止することができる。
【００３３】
すなわち、図１において、本考案の眼鏡装着用係止具１は、その装着部１０を眼鏡５０のテンプル５２に装着し、係止部２０の凹部にマスク１０１（顔面着用品１００）の輪状紐１２１（付属紐状体１２０）を係止することができるので、外したマスク１０１を眼鏡５０のテンプル５２に掛けたまま行動でき、マスク１０１の紛失を防止することができる。
【００３４】
図１において、装着部１０はストロー片のようなプラスチック製の管状体であってもよく、金属製の管状体であってもよい。テンプル５２に装着された装着部１０は、テンプル５２に予め固定されてもよいが、テンプル５２をスライドして自由に移動可能としてもよい。本考案に係る顔面着用品１００の眼鏡装着用係止具１において、装着部１０は、眼鏡５０のテンプル５２に装着できるのであれば、その形状や材料は特に限定されない。
【００３５】
また、係止部２０は、装着部１０に取り付けて用いる。あるいは装着部１０と一体成型してもよい。そして係止部２０の形状や材料は、顔面着用品１００の付属紐状体１２０を係止できるのであれば特に限定されない。
（１−１）顔面着用品
【００３６】
このような本考案に係る眼鏡装着用係止具１に係止する眼鏡装着用品１００は、例えば、マスク１０１（図１参照）、アイマスク１０２（図１１参照）、イヤホン１０３（図１１参照）、ブルートゥース（登録商標）１０４（図６参照）などである。
【００３７】
（マスク１０１）
図１のように、顔面着用品１００がマスク１０１の場合、機能部本体１１０は、口元を覆うマスク本体１１１である。また、付属紐状体１２０は、このマスク本体１１１に取り付けられ、両耳に着用する輪状紐１２１、１２１である。通常の使用時には、両耳に着用する輪状紐１２１、１２１を、図１のように眼鏡装着用係止具１の係止部２０に係止して、マスク本体１１１を口元から外しても眼鏡５０に付帯させておくことができる。
【００３８】
（アイマスク１０２）
顔面着用品１００がアイマスク１０２の場合、両目を覆う眼部当接体１１２を機能部本体１１０とし、眼部当接体１１２に取り付けられ、両耳に着用する輪状紐１２２、１２２を付属紐状体１２０として、本考案の眼鏡装着用係止具１に係止することができる（図１１参照）。通常は、マスク１０１と同様、輪状紐１２２、１２２を両耳に着用して用いるが、眼部当接体１１２を眼部から外し、輪状紐１２２、１２２を眼鏡装着用係止具１の係止部２０に係止させておくことができる。
【００３９】
（イヤホン１０３）
図１１のように、イヤホン１０３は、耳に挿入するイヤホン本体１１３と、イヤホン本体１１３を携帯音楽機器など外部機器と接続するイヤホンコード１２３からなる。従って、顔面着用品１００をイヤホン１０３とする場合、耳に着用するイヤホン本体１１３を機能部本体１１０とし、イヤホン本体１１３に取り付けられ、外部機器に接続するイヤホンコード１２３を付属紐状体１２０として、本考案の眼鏡装着用係止具１に係止することができる。あるいは、図示しないが、耳に当接させるヘッドホン本体と、ヘッドホン本体を携帯音楽機器など外部機器と接続するコードからなるヘッドホンのコードを、本考案の眼鏡装着用係止具１に係止してもよい。
【００４０】
イヤホン本体１１３が、携帯音楽機器（外部機器）から電磁波を受信する形態もあるが、この場合でも紛失防止のために、２つのイヤホン本体１１３を紐などの付属紐状体１２０で連結させておくのが好ましく、付属紐状体１２０を本考案の眼鏡装着用係止具１の係止部２０に係止して、眼鏡５０に付帯させておくことができる。
【００４１】
以下、本考案に係る顔面着用品の眼鏡装着用係止具１について、さらに実施例を用いて具体的に説明する。
（１−２）実施例
【実施例１】
【００４２】
本実施例に係る顔面着用品１００の眼鏡装着用係止具１は、上記のように装着部１０と係止部２０からなる。図２（ａ）〜（ｄ）に、本実施例の眼鏡装着用係止具１の（ａ）正面図、（ｂ）側面図、（ｃ）平面図、（ｄ）背面図、を夫々示す。
【００４３】
装着部１０は、螺子孔１２Ｕｈが穿設された上底部１２Ｕと下底部１２Ｄとが胴部１２Ｃにより連結されたコの字型固定具１２（図２（ｂ）参照）と、コの字型固定具１２の胴部１２Ｃに取り付けられ、上底部１２Ｕと下底部１２Ｄと平行に上下動可能な可動板可動板１２Ｍとを含む。可動板１２Ｍは、図７（ａ）のように、その胴部１２Ｃへの取り付け部１２Ｍｌが可動板１２Ｍの左右の端部から突出するＬ字型で、胴部１２Ｃの左右の縁を表裏両面から挟み込んで、上底部１２Ｕ及び下底部１２Ｄと平行にスライドできるように取り付けられるが、この取り付け部１２Ｍｌを連結して可動板１２Ｍ間に穴部１２Ｍｈを設け、この穴部１２Ｍｈに胴部１２Ｃを嵌め込んで取り付けてもよい（図７（ｂ）参照）。
【００４４】
また、本実施例の眼鏡装着用係止具１において、係止部２０は、コの字型固定具１２の上底部１２Ｕに穿設された螺子孔１２Ｕｈを貫通して、その先端２２１を可動板１２Ｍに当接させ、可動板１２Ｍをコの字型固定具１２の上底部１２Ｕ側から下底部１２Ｄ側へ押圧可能な螺子２２である（図２（ａ）、（ｂ）参照）。
【００４５】
螺子２２は、一般的な螺子同様、先端２２１と後端面２２２を有し、後端面２２２は螺子回し用ドライバーの先端と嵌合する溝が穿刻された平面又は曲面であり、ネジ溝の切られた棒状の螺子部２２０と一体成型されている。後端面２２２は、図２（ａ）、（ｂ）、（ｄ）のように、側面視で棒状の螺子部２２０の直径方向に突出しているのが通常で、後端面２２２と上底部１２Ｕ間に挟持する付属紐状体１２０が外れるのを抑止することができる。
【００４６】
次に、装着部１０（コの字型固定具１２及び可動板１２Ｍ）を眼鏡５０のテンプル５２に固定する方法を説明する。まず、コの字型固定具１２の下底部１２Ｄをテンプル５２の下端又は上端に当接させると共に、可動板１２Ｍを眼鏡５０のテンプル５２の上端又は下端に当接させる。そして可動板１２Ｍに当接させた螺子２２の先端２２１を下底部１２Ｄ側に押し込み、この先端２２１に当接させた可動板１２Ｍを下底部１２Ｄ側に押圧し、コの字型固定具１２の下底部１２Ｄと可動板１２Ｍとで眼鏡５０のテンプル５２を挟持して、装着部１０（コの字型固定具１２及び可動板１２Ｍ）を眼鏡５０のテンプル５２に固定することができる。
【００４７】
図３（ａ）と図３（ｂ）は、夫々、本実施例に係る顔面着用品の眼鏡装着用係止具１をテンプル５２に固定した状態の正面図と側面図である。このように、装着部１０（コの字型固定具１２及び可動板１２Ｍ）が眼鏡５０のテンプル５２に固定された状態で、本実施例の眼鏡装着用係止具１は、コの字型固定具１２の上底部１２Ｕから螺子２２の螺子部２２０の一部と後端面２２２が突出しており、この突出部分に顔面着用品１００の付属紐状体１２０を係止することができる。すなわち、螺子２２の後端面２２２と上底部１２Ｕ間に付属紐状体１２０を係止して、側面視で螺子部２２０から突出した後端面２２２により付属紐状体１２０が外れるのを防止することができる（図３（ａ）又は図３（ｂ）参照）。
【００４８】
螺子２２の長さは特に限定されないが、コの字型固定具１２の上底部１２Ｕと下底部１２Ｄ間程度以下であることが望ましい。螺子２２の長さが短すぎると、コの字型固定具１２の上底部１２Ｕからの螺子２２の突出部分（螺子部２２０の一部と後端面２２２）が不足して付属紐状体１２０を係止しにくくなり、長すぎると突出部分が帽子や頭皮などに接触して危険である。
【００４９】
また、コの字型固定具１２は、この突出部分が眼鏡５０の上方に突出するように眼鏡５０に装着してもよいが、突出部分が眼鏡５０の下方に突出するように固定してもよい。更に、眼鏡５０のテンプル５２の厚さ方向を、コの字型固定具１２の下底部１２Ｄと可動板１２Ｍとにより挟持して用いることも可能である。
【実施例２】
【００５０】
本実施例では、コの字型固定具１２（装着部１０）と螺子２２（係止部２０）からなる実施例１の眼鏡装着用係止具１（図２又は図３参照）を応用した眼鏡装着用係止具１を提案する。
【００５１】
本実施例に係る顔面着用品の眼鏡装着用係止具１は、図８（ａ）、（ｂ）に示すように、螺子嵌合穴２３ｈが穿設された上環２３Ｕ及び下環２３Ｄが、中空巻溝管２３Ｍにより連結された紐状体巻環２３を、上記コの字型固定具１２に取り付けた螺子２２の後端面２２２に上環２３Ｕ及び下環２３Ｄの螺子嵌合穴２３ｈを嵌合させる眼鏡装着用係止具１である。紐状体巻環２３は、図８（ｂ）のように、上述した螺子２２の突出部分を被覆して、コの字型固定具１２の上底部１２Ｕに当接する。
【００５２】
このような本実施例の眼鏡装着用係止具１は、螺子２２の後端面２２２に螺子嵌合穴２３ｈが嵌合した上環２３Ｕ又は下環２３Ｄを回動することにより、螺子２２を回動させることが可能である。例えば、螺子嵌合穴２３ｈを、螺子２２の後端面２２２と同形で大きさが同一の六角形などの多角形とし、上環２３Ｕ（又は下環２３Ｄ）を回動することにより、螺子２２を回動させて、可動板１２Ｍの位置を調整することができる。
【００５３】
図９（ａ）と図９（ｂ）は、本実施例に係る顔面着用品の紐状体巻環付き眼鏡装着用係止具１の使用態様を表す正面図と側面図である。本実施例の紐状体巻環付き眼鏡装着用係止具１は、図９（ａ）、（ｂ）又は図１０のように、中空巻溝管２３Ｍに顔面着用品１００の付属紐状体１２０を巻き付けて係止可能である。付属紐状体１２０は、図９（ａ）、（ｂ）では、中空巻溝管２３Ｍの幅方向に３重に巻き付けられているが、中空巻溝管２３Ｍの幅が狭い場合は、上環２３Ｕ及び下環２３Ｄの径方向に重ねて巻き付けてもよい。
【実施例３】
【００５４】
本実施例に係る顔面着用品１００の眼鏡装着用係止具１は、図４（ａ）に示すように、装着部１０が熱収縮性弾性体により構成された熱収縮性管状体１４である。この熱収縮性管状体１４を成す熱収縮性弾性体は管状であり、眼鏡５０のテンプル５２を内包して熱収縮され、眼鏡５０のテンプル５２に固定される。すなわち、テンプル５２を管状の熱収縮性弾性体に貫通させた後、これを温めて熱収縮させ、熱収縮性管状体１４をテンプル５２に固定する。熱収縮性管状体１４を構成する熱収縮性弾性体は、熱収縮性のゴムやプラスチックなどであるが、その材料は特に限定されない。
【００５５】
また、本実施例の眼鏡装着用係止具１において、係止部２０は、断面視で固定片２４１と突出片２４５とこれらを接続する凹部片２４３とからなる断面視コの字型のクリップ２４である。係止部２０は、図４（ｂ）のように、固定片２４１が熱収縮性弾性管状体１４を構成する熱収縮性弾性体に予め挿入されて固定される。クリップ２４は例えば金属で形成されるが、プラスチックなどで形成してもよく、その材料は特に限定されない。
【００５６】
本実施例の眼鏡装着用係止具１は、クリップ２４の断面視コの字型の凹部片２４３に、顔面着用品１００の付属紐状体１２０を係止することができる（図１参照）。あるいは、付属紐状体１２０をクリップ２４の突出片２４５に巻き付けて固定してもよい。
【実施例４】
【００５７】
本実施例に係る顔面着用品１００の眼鏡装着用係止具１は、上記実施例４と同様、装着部１０が、眼鏡５０のテンプル５２を内包して熱収縮され、眼鏡５０のテンプル５２に固定された熱収縮性弾性体により構成される（図５（ａ）参照）。
【００５８】
本実施例に係る係止部２０は、断面視で固定片２５１と接続片２５３と突出片２５５とこが２つの凹部片２５２、２５４により接続された断面視Ｓの字型のＳ字状クリップ２５である。すなわち、固定片２５１と接続片２５３とが凹部片２５２により接続され、接続片２５３と突出片２５５とが凹部片２５４により接続されて、断面視Ｓの字型のＳ字状クリップ２５が形成される。そして、実施例３のクリップ２４と同様、図５（ｂ）のように、固定片２５１が熱収縮性弾性管状体を構成する熱収縮性弾性体に予め挿入・固定される。
【００５９】
本実施例５の眼鏡装着用係止具１は、このＳ字状クリップ２５の断面視Ｓの字型の２つの凹部片２５２、２５４に顔面着用品１００の付属紐状体１２０を係止可能であることを特徴とする（図１参照）。
（２）形状保持可能な可撓性接続紐状体
【００６０】
本考案に係る形状保持可能な可撓性接続紐状体３０（図６参照）は、一端と他端を有し、可撓性形状保持線３２を含んで形成され、付属紐状体１２０を有しない顔面着用品１００の機能部本体１１０に、または、付属紐状体１２０に代えて顔面着用品１００の機能部本体１１０に、その一端又は他端を装着可能な紐状体である。この可撓性形状保持線３２は、例えばアルミニウム線であり、少なくとも常温において変形自在で、自由な形状を保持することができる。そのため、これを含む可撓性接続紐状体３０も変形自在に自由な形状を保持することができる。
【００６１】
本考案の形状保持可能な可撓性接続紐状体３０（以下、単に「可撓性接続紐状体３０」ともいう）は、アルミニウム線などの単体の可撓性形状保持線３２により形成されてもよいし（図６参照）、あるいは、図１２（ａ）のように、可撓性形状保持線３２と、可撓性形状保持線３２の長手方向に平行に配した形状記憶合金線３６と、これら２本の線を被覆する絶縁材３８とから形成されてもよい。このように、可撓性接続紐状体３０は、可撓性形状保持線３２を含んで形成されるので、少なくとも常温において変形自在で、自由な形状を保持することができる。
【００６２】
そして、この可撓性接続紐状体３０は、眼鏡装着用係止具１の装着部１０又は係止部２０にその他端又は一端を装着すると共にその一端又は他端を顔面着用品１００に接続して、上記イヤホン付きブルートゥース（登録商標）函体（図６参照）のように付属紐状体１２０を有しない顔面着用品１００であっても、眼鏡５０のテンプル５２に係止して持ち歩くことができ、顔面着用品１００の紛失を防ぐことができる。
（２−１）実施例
【実施例５】
【００６３】
（眼鏡装着用曇止めパッド）
本実施例において、顔面着用品１００は、図１３に示すように、口元に着用したマスク１０１の鼻元当接部を、マスク１０１の上から顔面方向に押圧するパッド部材１１５に、本考案の可撓性接続紐状体３０の一端又は他端を接続した眼鏡装着用曇止めパッド１０５である。すなわち、顔面着用品１００として、眼鏡装着用曇止めパッド１０５のパッド部材１１５が機能部本体１１０に相当し、可撓性接続紐状体３０が付属紐状体１２０に相当する。
【００６４】
このような顔面着用品１００の眼鏡装着用係止具１は、可撓性接続紐状体３０の他端又は一端を、その装着部１０又は係止部２０に装着することができる。そして、可撓性接続紐状体３０を変形することにより、その一端又は他端に接続した眼鏡装着用曇止めパッド１０５のパッド部材１１５を、装着したマスク１０１の鼻元当接部の上から顔面方向に押圧させるよう配置することができる。パッド部材１１５により、鼻元当接部の上からマスク１０１を押圧することにより、上昇する吐息が漏れるマスクの鼻元に生じる隙間を塞いで、吐息により発生する眼鏡の曇を抑止することができる。
【００６５】
図１３において、眼鏡装着用係止具１の装着部１０はコの字型固定具１２であり、係止部２０は螺子２２である。可撓性接続紐状体３０の他端又は一端を、螺子２２の後端面２２２と上底部１２Ｕとの間で螺子部２２０に巻き付けてもよいし、上底部１２Ｕと可動板１２Ｍとの間で螺子部２２０に巻き付けてもよい。あるいは、可撓性接続紐状体３０の他端又は一端の断面方向に設けた孔に、螺子部２２０を貫通させて、螺子２２の後端面２２２と上底部１２Ｕとの間、又は、上底部１２Ｕと可動板１２Ｍとの間で固定してもよい。
【００６６】
このように、本考案に係る形状保持可能な可撓性接続紐状体３０を顔面着用品１００の付属紐状体１２０として代用することにより、付属紐状体１２０を元来有しないパッド部材１１５であっても、眼鏡５０のテンプル５２に係止して持ち歩くことができ、顔面着用品１００の紛失を防ぐことができる。
【００６７】
なお、眼鏡装着用係止具１が、熱収縮性管状体１４（装着部１０）とクリップ２４又はＳ字状クリップ２５（係止部２０）から構成される場合であっても、本考案の形状保持可能な可撓性接続紐状体３０の他端又は一端を、熱収縮性管状体１４やクリップ２４又はＳ字状クリップ２５に装着して用いることができる（図４（ａ）、（ｂ）又は図５（ａ）、（ｂ）参照）。例えば、可撓性接続紐状体３０の他端又は一端を、熱収縮性管状体１４を成す熱収縮性弾性体に挿入して固定したり、クリップ２４又はＳ字状クリップ２５に巻き付けるなどして固定してもよい。このように他端又は一端を眼鏡装着用係止具１に固定した可撓性接続紐状体３０を自由に変形し、その一端又は他端に接続したパッド部材１１５をマスク１０１の鼻元当接部の上から顔面方向に押圧させて、マスクの鼻元に生じる隙間を塞いで、上昇する吐息により発生する眼鏡の曇を抑えることができる。
【実施例６】
【００６８】
（イヤホン付きブルートゥース（登録商標））
図６に示すイヤホン付きブルートゥース（登録商標）１０４は、ブルートゥース（登録商標）函体１１４に本考案の形状保持可能な可撓性接続紐状体３０が接続されている。図６において、形状保持可能な可撓性接続紐状体３０は柔軟性のある金属又は合金を用いるのが好適で、一端をブルートゥース（登録商標）函体１１４の留孔に貫通させて外れないようにハンダなどで太く加工してブルートゥース（登録商標）函体１１４に取り付け、平面状に加工した他端に孔を設けている（図６参照）。
【００６９】
このようなイヤホン付きブルートゥース（登録商標）１０４を顔面着用品１００として用いる場合は、耳に着用するイヤホン付きブルートゥース（登録商標）函体１１４を機能部本体１１０とし、イヤホン付きブルートゥース（登録商標）函体１１４に接続された可撓性接続紐状体３０を付属紐状体１２０とすればよい。
【００７０】
図６において、イヤホン付きブルートゥース（登録商標）１０４は眼鏡５０のテンプル５２に装着されており、このイヤホン付きブルートゥース（登録商標）１０４（顔面着用品１００）の眼鏡装着用係止具１は、上記実施例１の眼鏡装着用係止具１と同一で、コの字型固定具１２と可動板１２Ｍ（装着部１０）及び螺子２２（係止部２０）から構成される。
【００７１】
上述のように、このブルートゥース（登録商標）１０４は、市販のブルートゥース（登録商標）函体１１４に形状保持可能な可撓性接続紐状体３０を接続しており、機能部本体１１０としてのブルートゥース（登録商標）函体１１４を、形状保持可能な可撓性接続紐状体３０を付属紐状体１２０として、図６のように、眼鏡装着用係止具１のコの字型固定具１２に螺子２２により係止（固定）している。この形状保持可能な可撓性接続紐状体３０は、上記のように、アルミニウムなどの柔軟性のある金属から成り、その一端はブルートゥース（登録商標）函体１１４に接続され、平面状に加工した他端に孔を設けている。
【００７２】
実施例１で図３（ａ）と図３（ｂ）を用いて説明したように、コの字型固定具１２は、可動板１２Ｍを螺子１２により押し込んで、テンプル５２を可動板１２Ｍと下底部１２Ｄとで挟持して眼鏡５０に装着する。この形状保持可能な可撓性接続紐状体３０は、この他端に設けた孔に螺子１２を貫通させ、上底部１２Ｕと可動板１２Ｍ間に挟持して用いることができる（図６参照）。
【００７３】
形状保持可能な可撓性接続紐状体３０は、螺子１２を軸に回転自在なので、ブルートゥース（登録商標）函体１１４を回転移動することができる。また、形状保持可能な可撓性接続紐状体３０は柔軟に曲げることができるので、ブルートゥース（登録商標）函体１１４のイヤホンを耳に挿入できるよう位置調整が可能で、しかも形状保持可能である。
【００７４】
従って、ブルートゥース（登録商標）函体１１４のイヤホンを耳から外しても、本考案の眼鏡装着用係止具１により、その形状保持可能な可撓性接続紐状体３０を固定したコの字型固定具１２と共にテンプル５２に装着して、眼鏡５０に付帯させたまま行動できるので、その紛失を防止することができる。
【００７５】
このように、スマートフォンや携帯音楽機器など外部機器からの電磁波（電波）を受信するために付属紐状体１２０が不要な顔面着用品であっても、形状保持可能な可撓性接続紐状体３０のような適切な付属紐状体１２０を取り付けて、この付属紐状体１２０を本考案の眼鏡装着用係止具１の係止部２０に係止することにより、その紛失を防止することができる。
（２−２）導電線を含む形状保持可能な可撓性接続紐状体とその実施例
【００７６】
本考案に係る導電線を含む形状保持可能な可撓性接続紐状体３０は、図１２（ｂ）のように、可撓性形状保持線３２と非接触に、可撓性形状保持線３２の長手方向に平行に配した導電線３４と、可撓性形状保持線３２と導電線３４とを被覆する絶縁材３８とを含む。あるいは、図１２（ｃ）のように、他の３線と非接触に、これらの長手方向に平行に配した形状記憶合金線３６を更に含んで構成してもよい。このような導電線を含む形状保持可能な可撓性接続紐状体３０もまた、眼鏡装着用係止具１の装着部１０又は係止部２０に、その他端又は一端を装着することができる。
【００７７】
可撓性接続紐状体３０を構成する導電線３４、絶縁材３８はそれぞれ公知の銅線、ビニール等で形成されてよい。形状記憶合金線３６はＮｉＴｉ合金のような公知の形状記憶合金を用いることも可能である。可撓性接続紐状体３０を使用、運搬する際の略常温では、可撓性形状保持線３２は可撓性および形状保持性を持ち、ヘアドライヤーや蒸気等で加熱した際は原状に回復するように、形状記憶合金線３６の形状記憶特性を選択することができる。
【実施例７】
【００７８】
導電線を含む可撓性接続紐状体３０は、上記イヤホンコード１２３として用いることができる。図１４に示すステレオヘッドホンコードは、分岐端とプラグに接続する接続端とを有するプラグコードが分岐端から分岐され、先端にそれぞれ左右のイヤホン本体１１３、１１３を接続する左右一対のイヤホンコード１２３、１２３と、を有する。
【００７９】
上記イヤホンコード１２３、１２３（ 以下、まとめて「イヤホンコード１２３」ともいう）は、図１２（ｂ）のように導電線を含む可撓性接続紐状体３０から成り、２本の導電線３４と、これと非接触に導電線３４の長手方向に平行に配した可撓性形状保持線３２と、導電線３４と可撓性形状保持線３２とを被覆する絶縁材３８とから構成される導電線を含む可撓性接続紐状体３０から成る。あるいは、この導電線を含む可撓性接続紐状体３０は、図１２（ｃ）のように、形状記憶合金線３６を更に含んでもよい。このような導電線を含む形状保持可能な可撓性接続紐状体３０は、少なくとも常温において変形自在で、自由な形状を保持することができる。
【００８０】
すなわち、本実施例の導電線を含む可撓性接続紐状体３０から成るイヤホンコード１２３は、導電線３４の長手方向に平行に可撓性形状保持線３２を内包したので、使用時・運搬時の略常温において変形自在で、かつその変形した形状を保持することができる（ 図１４中、Ａ、Ｂ参照） 。
【００８１】
このような本実施例の導電線を含む可撓性接続紐状体３０から成るイヤホンコード１２３もまた、付属紐状体１２０として本考案の眼鏡装着用係止具１の係止部に容易に係止することができ、先端に接続した左右のイヤホン本体１１３、１１３（機能部本体１１０）の紛失を防止することができる。
【００８２】
以上、本考案に係る顔面着用品の眼鏡装着用係止具について実施例を用いて説明したが、眼鏡装着用係止具の形態は上記実施例に限定されない。眼鏡装着用係止具を構成する装着部は、眼鏡のテンプルに装着できればよく、係止部は、顔面着用品の付属紐状体を係止できれば、これらの形態は限定されず、これらを構成する形状、材料も特に限定されない。また、可撓性接続紐状体の形態や材料も特に限定されない。
【００８３】
その他、本考案は、その主旨を逸脱しない範囲で当業者の知識に基づき種々の改良、修正、変更を加えた態様で実施できるものである。
【産業上の利用可能性】
【００８４】
本考案に係る顔面着用品の眼鏡装着用係止具は、耳元や口元、眼部など、顔面の各部に装着する顔面着用品に利用することが出来る。
【符号の説明】
【００８５】
１：本考案に係る顔面着用品の眼鏡装着用係止具１
１０：装着部
１２：コの字型固定具
１２Ｕ：上底部
１２Ｕｈ：螺子孔
１２Ｄ：下底部
１２Ｃ：胴部
１２Ｍ：可動板
１２Ｍｌ：取り付け部
１２Ｍｈ：穴部
１４：熱収縮性管状体
２０：係止部
２２：螺子
２２０：螺子部
２２１：（螺子）先端
２２２：（螺子）後端面
２３：紐状体巻環
２３Ｕ：上環
２３Ｍ：中空巻溝管
２３Ｄ：下環
２３ｈ：螺子嵌合穴
２４：クリップ
２４１：固定片
２４３：凹部片
２４５：突出片
２５：Ｓ字状クリップ
２５１：固定片
２５２：凹部片
２５３：接続片
２５４：凹部片
２５５：突出片
３０：形状保持可能な可撓性接続紐状体
３２：可撓性形状保持線
３４：導電線
３６：形状記憶合金線
３８：絶縁材
５０：眼鏡
５２：テンプル
１００：顔面着用品
１０１：マスク
１０２：アイマスク
１０３：イヤホン
１０４：ブルートゥース（登録商標）
１０５：眼鏡装着用曇止めパッド
１１０：機能部本体
１１１：マスク本体
１１２：眼部当接体
１１３：イヤホン本体
１１４：ブルートゥース（登録商標）函体
１１５：パッド部材
１２０：付属紐状体
１２１：輪状紐
１２２：輪状紐
１２３：コード
【図１】
0003229502.tif 000003
【図２】
0003229502.tif 000004
【図３】
0003229502.tif 000005
【図４】
0003229502.tif 000006
【図５】
0003229502.tif 000007
【図６】
0003229502.tif 000008
【図７】
0003229502.tif 000009
【図８】
0003229502.tif 000010
【図９】
0003229502.tif 000011
【図１０】
0003229502.tif 000012
【図１１】
0003229502.tif 000013
【図１２】
0003229502.tif 000014
【図１３】
0003229502.tif 000015
【図１４】
0003229502.tif 000016